(57)【特許請求の範囲】
【請求項１】
本体と、
開放状態及び閉塞状態をもたらすよう前記本体に旋回的に接続されるカバーと、
引込可能な遮断区画を含むソレノイド弁と、
前記本体の一方の側に埋設されるパネルセットと、
拡張区画を含むボタンを受け入れるための開口とを含み、
前記パネルセットは、前記開放状態及び前記閉塞状態の間を切り換えるために、キーパッドモジュールとロックモジュールとを含み、前記切換えは、前記キーパッドモジュール又は前記ロックモジュールのいずれかを操作することによって行われ、
前記遮断区画は、その非引込位置において、前記閉塞状態の下で前記ボタンの前記拡張区画を押す、
金庫
【請求項２】
前記ボタンが所定方向に沿って摺動するのを制約するために、前記開口の２つの側に一対の実質的に平行な案内トラックを更に含む、請求項１に記載の金庫。
【請求項３】
前記遮断区画を位置決めするための位置決め片を更に含む、請求項１に記載の金庫。
【請求項４】
前記位置決め片は、非磁化材料を含む、請求項３に記載の金庫。
【請求項５】
前記ボタンは、前記ボタンから外向きに垂直に延びる突出区画を更に含む、請求項１に記載の金庫。
【請求項６】
前記ロックモジュールを取外し可能に覆うための隠蔽カバーを更に含む、請求項１に記載の金庫。
【請求項７】
前記キーパッドモジュールの背面側に近接して設けられ且つ前記ソレノイド弁と電気的に接続される回路板を更に含む、請求項１に記載の金庫。
【発明の詳細な説明】
【技術分野】
【０００１】
本発明は貴重品管理金庫（セーフティボックス）に関し、より具体的には、電子金庫（キャッシュボックス）に関する。
【背景技術】
【０００２】
従来的な貴重品管理金庫は主として機械的手段によって施錠され、使用者によって常時携帯される鍵（キー）によって貴重品管理金庫を開放し得るだけである。更に、電子パスワードによって施錠される電子貴重品管理金庫に関しては、番号鍵を押すことによって貴重品管理金庫を開放し得るよう、自分自身が設定したパスワードを使用者が記憶することが必要である。
【発明の概要】
【発明が解決しようとする課題】
【０００３】
利用の柔軟性を最適化するために、電子パスワード及び機械的施錠の二重機能をもたらす電子金庫を提供することが本発明の目的である。
【０００４】
安全性及び審美効果の両方をもたらすために、機械的錠を使用しないときに機械的錠の鍵穴を覆う電子金庫を提供することが本発明の他の目的である。
【課題を解決するための手段】
【０００５】
上記目的を達成するために、本発明は、本体と、開放状態及び閉塞状態をもたらすよう本体に旋回的に接続されるカバーと、本体の一方の側に埋設されるパネルセットとを含み、パネルセットは、キーパッドモジュールとロックモジュールとを含む。キーパッドモジュール又はロックモジュールのいずれかを操作することによって、開放状態及び閉塞状態の間を切り換え得る。
【０００６】
本発明に従った金庫によれば、パネルセットは、拡張区画を含むボタンを受け入れるための開口を更に含む。
【０００７】
本発明に従った金庫によれば、一対のほぼ平行な案内トラックが開口の２つの側に設けられる。ボタンは案内トラックに従って所定方向に沿う摺動が制約される。
【０００８】
本発明に従った金庫によれば、ソレノイド弁が更に含められる。ソレノイド弁は、閉塞状態の下でボタンの拡張区画を押すための遮断区画を含む。
【０００９】
本発明に従った金庫によれば、遮断区画を位置決めするために位置決め片が更に含められる。
【００１０】
本発明に従った金庫によれば、位置決め片は、非磁化材料を含む。
【００１１】
本発明に従った金庫によれば、ボタンは、ボタンから外向きに僅かに垂直に延出される突出区画を更に含む。
【００１２】
本発明に従った金庫によれば、ロックモジュールを柔軟に覆うための隠蔽カバーが更に含められる。
【００１３】
本発明に従った金庫によれば、キーパッドモジュールの近くに設けられる回路板が更に含められ、キーパッドモジュール及びソレノイド弁は電気的に接続される。
【００１４】
付属の図面は本発明の更なる理解をもたらすために含められ、この明細書に組み込まれ、且つ、この明細書の一部を構成する。図面は本発明の実施態様を例示し、記載と共に、本発明の原理を説明する働きをする。
【図面の簡単な説明】
【００１５】
【図１】本発明の好適実施態様に従った金庫を示す斜視図である。
【図２】図１の金庫を示す上面図である。
【図３】図１の金庫を示す側面図である。
【図４】パネルセットを示す正面図である。
【図５】パネルセットを示す背面図である。
【図６】ボタンを示す部分拡大図である。
【発明を実施するための形態】
【００１６】
図１、図２、及び、図３は、本発明の好適実施態様に従った電子金庫の斜視図、上面図、及び、側面図をそれぞれ示している。図１乃至３を参照すると、本発明の好適実施態様に従った電子金庫は、中空の本体１と、カバー２と、ピボット３と、パネルセット４と、ハンドル５とを含む。カバー２が本体１に対して閉塞状態又は開放状態になることを可能にするよう、カバー２はピボット３を介して本体１に旋回的に接続される。閉塞状態の下で、望ましくない覗き見及び金庫の内容物の望ましくない獲得の危険性を防止するために、カバー２は本体１と密接して係合される。よって、カバー２の形状は、本体１の幾何学的形状と必要的に合致するよう形成される。更に、剛的で耐性のあるカバー２及び本体１は、金属又はプラスチック鋼のような強力な材料によって概ね形成される。
【００１７】
図１乃至３を参照すると、カバー２が本体１に対して閉塞されるときに、使用者が金庫を移動し或いは運び得るよう、ハンドル５はカバー２に取り付けられ、使用者による把持を許容する。更に、本体１の一方の側に埋設されるパネルセット４は、使用者が金庫を開放又は閉塞するのを可能にするよう、キーパッドと錠（ロック）とを含む。キーパッド及び錠を以下に記載する。
【００１８】
図４及び５は、パネルセット４の正面図及び背面図をそれぞれ示している。図示されるように、パネルセット４は、キーパッドモジュール４０と、ロックモジュール４１と、ソレノイド弁４８と、ボタン４４とを含む。キーモジュール４０は、０〜９の数字ボタンと、「＊」及び「＃」の記号鍵とを含み、回路板４３に電気的に接続される。使用者がキーパッドモジュール４０の番号鍵又は記号鍵を押すときに、回路板４３が対応する電子信号を受信するのを容易化するよう、回路板４３は、好ましくは、キーパッドモジュール４０の背面側に密接して設けられる。ソレノイド弁４８は、ソレノイド弁４８の一方の側から延びる遮断区画４９を含む。更に、ソレノイド弁４８は、回路板４３に電気的に接続され、回路板４３上で回路によって制御される。使用者によって入力されるパスワードが正しいとき、ソレノイド弁４８は、遮断区画４９を、回路板４３上の回路の制御を介して内向きに引っ込める。遮断区画４９と協働するよう、位置決め片５２が位置決めのために設けられる。更に、ソレノイド弁４８の遮断区画４９の電気接続される軸で起こる磁化の後に電気が切断されるときに、遮断区画４９がその元の位置に復帰し損ない得るという欠点を防止するために、位置決め片５２は非磁化材料（non-magnetizing  material）で作製される。磁化によって引き起こされる遮断区画４９の位置復帰故障の問題を防止するために、好ましくは、位置決め片５２はプラスチックから成り、或いは、プラスチック片が位置決め片５２の周りを囲み得る。
【００１９】
パネルセット４は、ボタン４４が所定方向に沿って案内トラック４６の制約に従って摺動可能であるよう、開口４５と、ボタン４４を受け入れる開口４５内の（図６に示されるような）一対の案内トラック４６とを更に含む。ボタン４４は、ボタンから外向きに垂直に延びる突出区画５０を備える。突出区画５０は、使用者によって押される力を受け取るために使用される。ボタン４４は、ソレノイド弁４８に近いボタン４４の一方の側から延びる拡張区画４７を更に含む。金庫が閉塞状態の下にあるとき、ボタン４４が下向きに摺動するのを阻止するよう、ソレノイド弁４８の遮断区画４９は、ボタン４４の拡張区画４７を押す。使用者によって入力されるパスワードが正しいとき、回路板４３上の回路の制御を介して、ソレノイド弁４８は遮断区画４９を内向きに引っ込め、金庫が開放状態になるのを許容する。加えて、遮断区画４９は内向きに引っ込められるので、ボタン４４も摺動可能になる。図６は、ボタン４４の部分拡大図を示している。
【００２０】
更に、本発明の金庫のロックモジュール４１を用いるならば、使用者がパスワードを忘れ、キーパッドモジュール４０を通じて金庫を開放し得ない事態においても、使用者は依然として代替手段として鍵を用いて金庫を開放し得る。ロックモジュール４１を用いた金庫の開放は、殆どの場合に利用されない代替手段であるので、ロックモジュール４１が使用されないときの安全性及び審美性の考慮のためにロックモジュール４１を覆うために、隠蔽カバー４２が設けられる。使用者がロックモジュール４１を開放する必要があるときには、使用者が鍵を挿入することを可能にするためにロックモジュール４１の鍵穴を現わすよう摺動することによって、隠蔽カバー４２を移動し得る。
【００２１】
従って、本発明の金庫は、利用の柔軟性を最適化するために、電子錠及び機械錠の二重機能を提供する。更に、機械錠が使用されないときには、安全性及び審美効果を更にもたらすよう、機械錠の鍵穴は覆われる。
【００２２】
本発明は現時点で最も実用的且つ好適な実施態様であると考えられるものに関して記載されたが、本発明は上述の実施態様に必ずしも限定されないことが理解されるべきである。逆に、最広義の解釈と合致するよう付属の請求項の精神及び範囲内に含まれる全ての変更及び類似構成を包含するよう、そのような様々な変更及び類似構成をカバーすることが意図されている。
【符号の説明】
【００２３】
１    本体（body）
２    カバー（cover）
３    ピボット（pivot）
４    パネルセット（panel  set）
５    ハンドル（handle）
４０  キーパッドモジュール（keypad  module）
４１  ロックモジュール（lock  module）
４２  隠蔽カバー（concealing  cover）
４３  回路板（circuit  board）
４４  ボタン（button）
４５  開口（opening）
４６  案内トラック（guiding  track）
４７  拡張区画（extended  section）
４８  ソレノイド弁（solenoid  valve）
４９  遮断区画（blocking  section）
５０  突出区画（projecting  section）
５２  位置決め片（positioning  piece）
【図１】
0005584182.tif 000002
【図２】
0005584182.tif 000003
【図３】
0005584182.tif 000004
【図４】
0005584182.tif 000005
【図５】
0005584182.tif 000006
【図６】
0005584182.tif 000007